(57)【要約】【課題】ＶＰＰの管理システムにおける処理を軽減すること。【解決手段】実施形態の一例に係る制御システムは、所定の施設に設置された制御システムであって、蓄電または給電が可能な分散電源と；所定の管理装置から取得する電力の提供要否と、前記分散電源の蓄電状況とに応じて、前記分散電源の蓄電または給電を制御する制御装置と；を有することを特徴とする。【選択図】図１
2018166355.tif 000002
【特許請求の範囲】
【請求項１】
所定の施設に設置された制御システムであって、
蓄電または給電が可能な分散電源と；
所定の管理装置から取得する電力の提供要否と、前記分散電源の蓄電状況とに応じて、前記分散電源の蓄電または給電を制御する制御装置と；
を有することを特徴とする制御システム。
【請求項２】
前記制御装置は、前記提供要否を所定の時間間隔で前記所定の管理装置に問い合わせ、電力の提供要求を取得した場合は、前記分散電源の蓄電または給電を制御する
ことを特徴とする請求項１に記載の制御システム。
【請求項３】
前記制御装置は、前記提供要求を取得した場合は、前記所定の施設における買電量が少なくなるように、若しくは、前記所定の施設における売電量が多くなるように、前記分散電源の蓄電または給電を制御する
ことを特徴とする請求項２に記載の制御システム。
【請求項４】
前記制御装置は、前記分散電源が蓄電する電力量が所定の条件を満たす場合は、当該分散電源が給電する電力を所定の値まで上昇させる
ことを特徴とする請求項２または３に記載の制御システム。
【請求項５】
前記制御装置は、前記所定の施設に設置された太陽光発電機器により発電が行われている場合は、前記分散電源が蓄電する電力を所定の値まで減少させる
ことを特徴とする請求項２〜４のうちいずれか１つに記載の制御システム。
【請求項６】
前記制御装置は、前記提供要求が取得される間、前記分散電源が蓄電または給電する電力を指数関数的に変化させ、前記提供要求が取得されなくなった場合は、前記分散電源が蓄電または給電する電力を所定の値まで減少させる
ことを特徴とする請求項２〜５のうちいずれか１つに記載の制御システム。
【請求項７】
前記制御装置は、前記分散電源が蓄電または給電する電力を所定の値まで減少させた後で、前記提供要求が取得された場合は、前記分散電源が蓄電または給電する電力を所定の値だけ変化させる
ことを特徴とする請求項６に記載の制御システム。
【請求項８】
管理装置と；
複数の施設のそれぞれに設置された制御システムと；
を有し、
前記制御システムは、
蓄電または給電が可能な分散電源と；
所定の管理装置から取得する電力の提供要否と、前記分散電源の蓄電状況とに応じて、前記分散電源の蓄電または給電を制御する制御装置と；
を有することを特徴とする管理システム。
【請求項９】
前記制御装置は、前記提供要否を所定の時間間隔で前記所定の管理装置に問い合わせ、  前記管理装置は、前記複数の施設のうち、所定の地域に所在する施設に供給する電力が不足すると推定される場合は、当該所定の地域とは異なる地域に所在する施設の制御装置からの問い合わせに対し、電力の提供要求を出力する
ことを特徴とする請求項８に記載の管理システム。
【請求項１０】
所定の施設に設置された制御システムが実行する制御方法であって、
所定の管理装置から取得する電力の提供要否を取得する取得ステップと；
蓄電または給電が可能な分散電源の蓄電状況と、前記提供要否とに応じて、前記分散電源の蓄電または給電を制御する制御ステップと；
を含んだ制御方法。
【発明の詳細な説明】
【技術分野】
【０００１】
本発明の実施形態は、制御システム、管理システムおよび制御方法に関する。
【背景技術】
【０００２】
近年、電力市場の自由化に伴い、ＶＰＰ（Virtual  Power  Plant：仮想発電所）と呼ばれる制御手法が提案されている。このようなＶＰＰの技術では、アグリゲータと呼ばれる管理システムが、各施設に設置された太陽光発電、蓄電池、燃料電池、ＥＶ（Electric  Vehicle）等といった分散電源や各種の省エネルギー機器等を統括的に制御することで、他の施設に電力を供給する。
【先行技術文献】
【特許文献】
【０００３】
【特許文献１】特開２０１６−１９５５２９号公報
【発明の概要】
【発明が解決しようとする課題】
【０００４】
しかしながら、上述した従来技術では、管理システムにおける処理が増大し易いという問題がある。
【０００５】
例えば、制御対象となる分散電源の数が増大した場合、管理システムが出力する指示の数が増大してしまう。また、分散電源の故障や分散電源と管理システムとの間で通信障害が発生した場合には、制御対象となる分散電源をその都度変更することとなるため、管理システムにおける処理が煩雑になる恐れがある。
【０００６】
本発明が解決しようとする課題は、ＶＰＰの管理システムにおける処理を軽減することである。
【課題を解決するための手段】
【０００７】
実施形態の一例に係る制御システムは、所定の施設に設置された制御システムであって、蓄電または給電が可能な分散電源と；所定の管理装置から取得する電力の提供要否と、前記分散電源の蓄電状況とに応じて、前記分散電源の蓄電または給電を制御する制御装置と；を有することを特徴とする。
【発明の効果】
【０００８】
実施形態の一例に係る推定装置によれば、ＶＰＰの管理システムにおける処理を軽減することができる。
【図面の簡単な説明】
【０００９】
【図１】図１は、実施形態に係る管理システムの一例を示す図である。
【図２】図２は、実施形態に係る制御システムが実行する制御の一例を示す図である。
【図３】図３は、実施形態に係る管理システムが有する機能構成の一例について説明する図である。
【図４】図４は、実施形態に係る制御システムが実行する制御の一例を示す図である。
【図５】図５は、実施形態に係る制御システムが実行する処理の流れの一例を示すフローチャートである。
【図６】図６は、第１の住宅における供給電力量の一例を示す図である。
【図７】図７は、第２の住宅における供給電力量の一例を示す図である。
【図８】図８は、第３の住宅における供給電力量の一例を示す図である。
【図９】図９は、第１の住宅から第３の住宅における供給電力量の合計の一例を示す図である。
【発明を実施するための形態】
【００１０】
以下、図面を参照して、実施形態に係る制御システム、管理システムおよび制御方法を説明する。実施形態において同一の機能を有する構成には同一の符号を付し、重複する説明は省略する。なお、以下の実施形態で説明する制御システム、管理システムおよび制御方法は、一例を示すに過ぎず、実施形態を限定するものではない。
【００１１】
例えば、以下の実施形態では、制御システム、管理システムおよび制御方法は、複数の住宅に設置された蓄電池が個別に充放電を制御する処理を実行するが、このような処理は、住宅以外にも、ビルディングや工場等といった任意の施設に設置された蓄電池が実行してもよい。また、以下に説明する処理は、蓄電池以外にも、蓄電池を備えた太陽光パネルであるスマート太陽光パネル、燃料電池、ＥＶ、ガス発電機等といった充放電が可能な任意の分散電源により実行されてもよい。また、以下の各実施形態は、矛盾しない範囲内で適宜組みあわせてもよい。
【００１２】
以下の実施形態に係る制御システム２は、所定の施設（例えば、住宅ＨＭａ〜ＨＭｃ）に設置され、分散電源（例えば、蓄電池１００ａ〜１００ｃ）および制御装置（例えば、制御部ＳＢＣ）を有する。分散電源は、蓄電または給電が可能である。また、制御装置は、所定の管理装置（例えば、管理サーバＣＳ）から取得する電力の提供要否と、分散電源の蓄電状況とに応じて、分散電源の蓄電または給電を制御する。
【００１３】
また、以下の実施形態に係る制御システム２は、提供要否を所定の時間間隔で所定の管理装置に問い合わせ、電力の提供要求を取得した場合は、分散電源の蓄電または給電を制御する。
【００１４】
また、以下の実施形態に係る制御システム２は、制御装置は、提供要求を取得した場合は、所定の施設における買電量が少なくなるように、若しくは、所定の施設における売電量が多くなるように、分散電源の蓄電または給電を制御する。
【００１５】
また、以下の実施形態に係る制御システム２は、分散電源が蓄電する電力量が所定の条件を満たす場合は、分散電源が給電する電力を所定の値まで上昇させる。
【００１６】
また、以下の実施形態に係る制御システム２は、所定の施設に設置された太陽光発電機器（例えば、太陽光パネルＰＶ）により発電が行われている場合は、分散電源が蓄電する電力を所定の値まで減少させる。
【００１７】
また、以下の実施形態に係る制御システム２は、提供要求が取得される間、分散電源が蓄電または給電する電力を指数関数的に変化させ、提供要求が取得されなくなった場合は、分散電源が蓄電または給電する電力を所定の値まで減少させる。
【００１８】
また、以下の実施形態に係る制御システム２は、分散電源が蓄電または給電する電力を所定の値まで減少させた後で、提供要求が取得された場合は、分散電源が蓄電または給電する電力を所定の値だけ変化させる。
【００１９】
また、以下の実施形態に係る管理システム１は、管理装置（例えば、管理サーバＣＳ）と複数の施設のそれぞれに設置された制御システム（例えば、制御システム２）とを有する。制御システム２は、蓄電または給電が可能な分散電源（例えば、蓄電池１００ａ〜１００ｃ）と、管理装置から取得する電力の提供要否と、分散電源の蓄電状況とに応じて、分散電源の蓄電または給電を制御する制御装置（例えば、制御部ＳＢＣ）を有する。
【００２０】
また、以下の実施形態に係る管理システム１では、制御装置は、提供要否を所定の時間間隔で所定の管理装置に問い合わせる。また、管理装置は、複数の施設のうち、所定の地域に所在する施設に供給する電力が不足すると推定される場合は、所定の地域とは異なる地域に所在する施設の制御装置からの問い合わせに対し、電力の提供要求を出力する。
【００２１】
［実施形態］
（管理システムの概要）
以下、図１を用いて、管理システムの一例について説明する。図１は、実施形態に係る管理システムの一例を示す図である。図１に示す例では、管理システム１は、電力事業者サーバＥＣＳ、アグリゲータサーバＡＧＳ、および管理サーバＣＳを有する。また、管理システム１は、各住宅ＨＭａ〜ＨＭｃ（以下、「住宅ＨＭ」と総称する場合がある。）に設置された蓄電池１００ａ〜１００ｃ（以下、「蓄電池１００」と総称する場合がある。）を含む制御システム２ａ〜２ｃ（以下、「制御システム２」と総称する場合がある。）を含む。
【００２２】
図１に示す例では、各住宅ＨＭに設置された制御システム２、電力事業者サーバＥＣＳ、アグリゲータサーバＡＧＳ、および管理サーバＣＳは、インターネット等といった任意のネットワーク（例えば、図３参照）を介して通信可能に接続されている。なお、制御システム２と管理サーバＣＳとの間は、例えば、ＭＱＴＴ（Message  Queue  Telemetry  Transport）など任意のプロトコルで情報の送受信が可能であってもよい。また、管理システム１に接続される制御システム２、電力事業者サーバＥＣＳ、アグリゲータサーバＡＧＳ、および管理サーバＣＳの種別や数等は、任意に設定できる。
【００２３】
なお、図１に示す例では、地域Ａに所在する住宅ＨＭａ〜ＨＭｃのそれぞれに制御システム２が設置されている例を示したが、実施形態は、これに限定されるものではなく、例えば、地域Ｂに所在する各住宅にも、制御システム２が設置されていてもよい。また、図１に示す住宅ＨＭ以外にも、各地域には電力事業者サーバＥＣＳを使用する電力事業者により電力が供給される住宅ＨＭが多数存在するものとする。
【００２４】
電力事業者サーバＥＣＳは、各住宅ＨＭに系統電源ＣＰを介して電力を供給する事業者、すなわち、電力事業者が使用するサーバ装置であり、例えば、サーバ装置やクラウドシステム等により実現される。なお、電力事業者サーバＥＳＣを使用する電力事業者は、発電施設や変電施設を所有する電気事業者であってもよく、送電事業者であってもよい。また、以下の説明では、電力事業者サーバＥＣＳを使用する電力事業者は、地域Ａに所在する住宅ＨＭａ〜ＨＭｃのみならず、地域Ｂに設置された住宅ＨＭにも、電力の供給を行う。
【００２５】
アグリゲータサーバＡＧＳは、所謂アグリゲータが使用するサーバ装置であり、例えば、サーバ装置やクラウドシステム等により実現される。例えば、アグリゲータサーバＡＧＳは、電力事業者サーバＥＣＳからの要求に応じて、各地域に設置された各種の分散電源や省エネルギー機器を統括的に制御することで、ＶＰＰと呼ばれる制御を実現する。
【００２６】
管理サーバＣＳは、例えば、サーバ装置やクラウドシステム等により実現され、各住宅に設置された各種家電装置の消費電力量や、各住宅に設置されたスマートメータＭＴ（例えば、図３参照）により測定された供給電力量を収集し、収集した消費電力量や供給電力量のリスト等を利用者に対して提供する。また、管理サーバＣＳは、各住宅ＨＭに居住する利用者が使用する利用者端末装置からの指示に従い、各住宅ＨＭに設置された各種家電装置の遠隔操作を行う。すなわち、管理サーバＣＳは、各住宅ＨＭに構築された所謂ＨＥＭＳ（Home  Energy  Management  System）と呼ばれるシステムの管理および制御を行うサーバ装置である。
【００２７】
制御システム２は、各住宅ＨＭに設置された所謂ＨＥＭＳを構成するシステムであり、少なくとも蓄電池１００を有する。蓄電池１００は、住宅ＨＭに設置され、電力の蓄電を行う。例えば、蓄電池１００は、制御部ＳＢＣと、蓄電部Ｂとを有する。蓄電池１００は、電力を蓄電可能な二次電池（バッテリ）である。また、制御部ＳＢＣは、パワコン、ＰＣＳ（Power  Conditioning  System）とも称される装置であり、系統電源ＣＰから分電盤ＨＤ（例えば、図２参照）を介して供給された電力（例えば、交流電力）を蓄電部Ｂが蓄電可能な電力（例えば、直流電力）に変換し、変換後の電力を蓄電部Ｂに供給することで、蓄電部Ｂの充電を制御する。また、制御部ＳＢＣは、蓄電部Ｂに充電された電力（例えば、直流電力）を、住宅ＨＭに設置された家電装置Ｌが利用可能な電力（例えば、交流電力）に変換し、変換後の電力を分電盤ＨＤを介して家電装置Ｌに供給する。
【００２８】
なお、蓄電池１００は、充電を行うことにより電気を蓄えることができ、繰り返し充放電して使用することが出来る電池であれば任意の電池を蓄電部Ｂとして採用してよい。例えば、蓄電池１００としては、リチウムイオン電池や鉛電池やニッケル水素電池など、目的に応じて種々の蓄電池を蓄電部Ｂとして採用してよい。また、蓄電池１００は、電力を蓄える機能を有すればどのような構成であってもよく、例えば、電気自動車やプラグインハイブリッド自動車等であってもよい。また、図示を省略したが、蓄電池１００ｂおよび蓄電池１００ｃは、蓄電池１００ａと同様の構成を有するものとする。
【００２９】
家電装置Ｌは、電力を消費する各種の負荷装置であり、いわゆる家電である。例えば、家電装置Ｌには、冷蔵庫、洗濯機、テレビジョン等という日常的に利用される家電装置のみならず、空調装置等といった季節や気候条件等に応じて使用される季節性を有する家電装置を含んでもよい。また、家電装置Ｌは、住宅ＨＭｂのみならず、他の住宅ＨＭにも設置されているものとする。
【００３０】
太陽光パネルＰＶは、例えば、太陽電池素子（セル）を必要枚数配列し、樹脂や強化ガラスなどによりパッケージ化した太陽電池モジュールであり、ソーラーパネルとも呼ばれる。なお、太陽光パネルＰＶに用いられるセルは、どのようなセルであってもよい。例えば、太陽光パネルＰＶに用いられるセルは、シリコン系のセルや化合物系のセルや有機系のセルなど、目的に応じて種々のセルが適宜選択されてもよい。また、太陽光パネルＰＶは、住宅ＨＭｃのみならず、任意の住宅ＨＭに設置されていてよい。
【００３１】
ここで、図１では記載を省略したが、各住宅ＨＭには、分電盤ＨＤが設置される。分電盤ＨＤは、住宅ＨＭの配線に電気を分ける装置である。例えば、分電盤ＨＤは、漏電が発生した際に住宅ＨＭ全体に供給される電力を遮断する漏電遮断器（すなわち、主幹ブレーカ）や、配線ごとに供給される電力を遮断する配線用遮断器（すなわち、分岐ブレーカ）といった種々の機器を含む。このような分電盤ＨＤは、例えば、系統電源ＣＰからスマートメータＭＴを介して供給される電力を、家電装置Ｌや蓄電池１００に供給する。また、分電盤ＨＤは、太陽光パネルＰＶによって発電された電力を家電装置Ｌや蓄電池１００に供給する機能を有する。
【００３２】
なお、分電盤ＨＤは、太陽光パネルＰＶによって発電された電力を蓄電池１００に蓄電させ、蓄電池１００に蓄電させた電力を家電装置Ｌに供給してもよい。また、分電盤ＨＤは、例えば、夜間等に系統電源ＣＰから供給された電力を蓄電池１００に蓄電させ、蓄電池１００に蓄電させた電力を家電装置Ｌに供給してもよい。また、分電盤ＨＤは、系統電源ＣＰからの電力を振り分ける分電盤と、蓄電池１００に対する蓄電や蓄電池１００からの電力を振り分ける分電盤とにより構成されてもよい。
【００３３】
（管理システムが実行する管理処理の概要）
以下、図１を用いて、管理システムが実行する管理処理の一例について説明する。まず、電力事業者サーバＥＣＳは、系統電源ＣＰを介して供給される電力の状態、すなわち、電力状態を取得する（ステップＳ１）。そして、電力事業者サーバＥＣＳは、地域ごとの電力需要を予測する（ステップＳ２）。
【００３４】
例えば、電力事業者サーバＥＣＳは、各地域に供給した電力量の履歴、各地域で行われるイベントの有無、気象情報、各地域の人口等、任意の電力予測手法に基づいて、各地域の電力需要を予測する。そして、電力事業者サーバＥＣＳは、例えば、地域Ｂにおいて将来消費される電力量が、所定の閾値を超えた場合（例えば、地域Ｂにおける同時刻の平均的な需要電力量を超えた場合）は、地域Ｂにおける不足電力の補充要求をアグリゲータサーバＡＧＳに送信する（ステップＳ３）。
【００３５】
ここで、従来のＶＰＰでは、アグリゲータサーバＡＧＳが、各住宅ＨＭの分散電源に対して、充放電の指示を送信することで、他の地域への電力供給を実現していた。しかしながら、このような手法では、分散電源の数の増加と共に、アグリゲータサーバＡＧＳにおける処理負荷が増大してしまう。
【００３６】
そこで、管理システム１では、各蓄電池１００が自律分散して動作し、いずれか地域での需要電力量が逼迫した際に、他の地域の蓄電池１００が放電を行うことで、需要電力量が逼迫した地域に供給される供給電力量を補完する。例えば、各住宅ＨＭに設置された制御システム２は、充電及び給電が可能な分散電源である蓄電池１００と、蓄電池１００の制御を行う制御部ＳＢＣとを有する。そして、制御部ＳＢＣは、管理サーバＣＳから取得する電力の提供要否と、蓄電池１００の蓄電状況とに応じて、蓄電池の蓄電または給電を制御する。
【００３７】
例えば、アグリゲータサーバＡＧＳは、地域Ｂにおける不足電力の補充要求を管理サーバＣＳに送信する（ステップＳ５）。このような場合、管理サーバＣＳは、地域Ａに所在する分散電源、すなわち、地域Ａの住宅ＨＭに設置された蓄電池１００に対して電力の提供要求を設定する（ステップＳ６）。例えば、管理サーバＣＳは、電力の提供を要求する提供要求の通知先として、地域Ａを記憶する。
【００３８】
一方、各住宅ＨＭに設置された蓄電池１００は、所定の時間間隔で、電力の提供の要否（以下、「提供要否」と記載する。）を確認する（ステップＳ７、ステップＳ８）。例えば、蓄電池１００は、３０分ごとに、管理サーバＣＳに対して、提供可否を問い合わせる。管理サーバＣＳは、問合せ元となる蓄電池１００が地域Ａに設置されている場合には、問合せに対する応答として提供要求を通知する。一方、管理サーバＣＳは、問合せ元となる蓄電池１００が地域Ｂに設置されている場合には、電力の提供が不要である旨の不要通知を問合せに対する応答として通知する。すなわち、管理サーバＣＳは、所定の地域に所在する住宅ＨＭに供給する電力が不足すると推定される場合は、その地域とは異なる地域に所在する住宅ＨＭの蓄電池１００からの問い合わせに対し、電力の提供要求を出力する。
【００３９】
この結果、地域Ａに設置された各蓄電池１００は、蓄電状況に応じて、自律的な売電制御を行う（ステップＳ９）。このように、蓄電池１００は、提供要否を所定の時間間隔で管理サーバＣＳに問い合わせ、電力の提供要求を取得した場合は、蓄電池１００の蓄電または給電を制御する。例えば、蓄電池１００は、提供要求を取得した場合は、蓄電池１００が設置された住宅ＨＭにおける買電量が少なくなるように、若しくは、住宅ＨＭにおける売電量が多くなるように、蓄電または給電を自律的に制御する。
【００４０】
この結果、地域Ａにおいては、需要電力量が減少する、或いは、電力の売電が行われることとなる。この結果、電力事業者は、地域Ａにおいて生じた余剰電力を、電力が不足する地域Ｂへと提供することができる（ステップＳ１０）。
【００４１】
（各制御システムにおける制御の概要）
以下、図２を用いて、地域Ａの各住宅ＨＭａ〜ＨＭｃに設置された制御システム２ａ〜２ｃが実行する制御の一例について説明する。図２は、実施形態に係る制御システムが実行する制御の一例を示す図である。なお、図２に示す例では、提供要求前と提供要求後における電力制御の一例について記載した。
【００４２】
例えば、図２に示す例では、住宅ＨＭａの制御システム２ａにおいては、系統電源ＣＰから供給された１００Ｗの電力が、分電盤ＨＤを介して蓄電池１００ａに供給されることで蓄電が行われており、蓄電部Ｂの蓄電率が１０パーセントとなっている。このような場合、住宅ＨＭａは、１００Ｗの買電を行うこととなる。
【００４３】
また、住宅ＨＭｂの制御システム２ｂにおいては、系統電源ＣＰから供給された２００Ｗの電力と、蓄電池１００ｂが給電する２００Ｗの電力との合計である４００Ｗの電力が、分電盤ＨＤを介して家電装置Ｌに供給されている。なお、図２に示す例では、蓄電池１００ｂの充電率が９０パーセントであるものとする。このような場合、住宅ＨＭｂは、２００Ｗの買電を行うこととなる。
【００４４】
また、住宅ＨＭｃの制御システム２ｃにおいては、太陽光パネルＰＶによって発電された４００Ｗの電力のうち、２００Ｗの電力が分電盤ＨＤを介して蓄電池１００ｃに蓄電され、残りの２００Ｗの電力が分電盤ＨＤを介して系統電源ＣＰへと供給、すなわち売電されている。このような場合、住宅ＨＭｃは、２００Ｗの売電を行うこととなる。
【００４５】
このような住宅ＨＭａ〜ＨＭｃが存在する場合、提供要求の通知前においては、総計で１００Ｗの買電が行われることとなる。地域Ａに住宅ＨＭａ〜ＨＭｃと同様の住宅ＨＭの組が１００万組存在した場合には、地域Ａ全体では、１００ＭＷ（メガワット）の電力が供給されることとなる。
【００４６】
ここで、各蓄電池１００に設置された制御部ＳＢＣは、ＭＱＴＴや各住宅ＨＭに設置されたＨＧＷ（Home  Gate  Way）１０（例えば、図３参照）を介した通信により、管理サーバＣＳに提供要否の問合せを行い、提供要求を受付けた場合には、以下の処理を実行する。例えば、制御部ＳＢＣは、蓄電池１００に蓄電された電力量が所定の条件を満たす場合は、蓄電池１００から供給される電力、すなわち、住宅ＨＭの家電装置Ｌに供給される電力や系統電源ＣＰ側に売電される電力を所定の値まで上昇させる。より具体的な例を挙げると、制御部ＳＢＣは、蓄電部Ｂの蓄電率（充電率）が３０パーセントを超える場合には、所定の電力量で、蓄電池１００を放電させる。
【００４７】
ここで、太陽光パネルＰＶが太陽光発電を行っている際に太陽光パネルＰＶの出力をそのまま系統電源ＣＰに流した場合、太陽光パネルＰＶの発電量が低下すると系統電源ＣＰ側への負電圧がかかってしまい、太陽光パネルＰＶが損傷する恐れがある。このため、一般的には、太陽光パネルＰＶが発電した電力は、蓄電池１００に蓄電され、その後、蓄電池１００から系統電源ＣＰ側に売電される。そこで、制御部ＳＢＣは、太陽光パネルＰＶが発電を行っている場合は、蓄電する電力を所定の値まで減少させる。すなわち、制御部ＳＢＣは、太陽光パネルＰＶが発電した電力を蓄電しつつ、蓄電した電力の一部を売電する。
【００４８】
例えば、制御システム２ａは、提供要求を受付けた場合に蓄電池１００ａの蓄電率「１０パーセント」を特定する。そして、制御システム２ａは、蓄電率が所定の閾値「３０パーセント」よりも低いと判断し、蓄電池１００ａの放電を行うことなく、そのまま、蓄電池１００ａの蓄電を継続する。この結果、住宅ＨＭａは、１００Ｗの買電を行うこととなる。
【００４９】
また、例えば、制御システム２ｂは、提供要求を受付けた場合に蓄電池１００ｂの蓄電率「９０パーセント」を特定する。そして、制御システム２ｂは、蓄電率が所定の閾値「５０パーセント」よりも高いと判断し、蓄電池１００ｂが供給する電力を２００Ｗから３００Ｗまで上昇させる。この結果、住宅ＨＭａは、提供要求を受ける前と比較して、１００Ｗ少ない電力量、すなわち、１００Ｗの買電を行うこととなる。
【００５０】
また、例えば、制御システム２ｃは、提供要求を受付けた場合に太陽光パネルＰＶが発電を行っていると特定する。このような場合、制御システム２ｃは、太陽光パネルＰＶが発電する電力量のうち、蓄電する電力量を０Ｗとはせずに、所定の値まで減少させる。例えば、制御システム２ｃは、蓄電池１００ｃの充電に用いる２００Ｗの電力を１００Ｗまで減少させる。この結果、住宅ＨＭａは、提供要求を受ける前と比較して、１００Ｗ多い電力量、すなわち、３００Ｗの売電を行うこととなる。
【００５１】
このような住宅ＨＭａ〜ＨＭｃが存在する場合、提供要求の通知後においては、総計で１００Ｗの売電が行われることとなる。地域Ａに住宅ＨＭａ〜ＨＭｃと同様の住宅ＨＭの組が１００万組存在した場合には、地域Ａ全体では、１００ＭＷ（メガワット）の電力を売電することができる。
【００５２】
（制御の具体例）
ここで、制御システム２は、問合せに対して管理サーバＣＳが提供要求を通知する間、上述した制御を実行することで、各住宅ＨＭにおける買電量の減少、または、売電量の増加を図ることとなる。そして、制御システム２は、問合せに対して不要通知を受付けた場合には、上述した制御を終了し、各住宅ＨＭにおける買電量や売電量を、予め設定された量に戻すこととなる。
【００５３】
例えば、電力事業者サーバＥＣＳは、地域Ａの余剰電力量が地域Ｂの需要電力量を満たした場合には、地域Ｂにおける電力不足が解消した旨をアグリゲータサーバＡＧＳに送信する。このような場合、アグリゲータサーバＡＧＳは、地域Ｂにおける電力不足が解消した旨を管理サーバＣＳへと送信する。このような場合、管理サーバＣＳは、地域Ａに対する提供要求の設定を取り消す。この結果、地域Ａの各蓄電池１００は、問合せ時に不要通知を取得することとで、各住宅ＨＭにおける買電量や売電量を、予め設定された量に戻す。
【００５４】
ここで、提供要求を受付けた場合に、各制御システム２が各住宅ＨＭにおける買電量や売電量を所定の値や限界値まで変更するといった制御を行った場合、余剰電力量が需要電力量を超えてしまう場合がある。しかしながら、管理サーバＣＳが各制御システム２に対して、需要電力量を通知した場合や、地域Ａの余剰電力量を計測した場合には、処理コストが増大してしまう。
【００５５】
そこで、制御システム２は、提供要求を取得する間、各住宅ＨＭが買電または売電する電力量を徐々に変更する。例えば、制御システム２は、各種ネットワークにおける輻輳制御において、通信量を制御する手法と同様の手法により、蓄電池１００が蓄電又は放電する電力量（以下、「充放電量」と記載する。）を徐々に変更する。
【００５６】
例えば、制御システム２は、問合せに対して提供要求が取得される間、充放電量を指数関数的に変化させ、提供要求が取得されなくなった場合は、充放電量を所定の値まで減少させる。例えば、制御システム２は、蓄電池１００の蓄電率が所定の閾値を満たす際に、提供要求を取得した場合には、蓄電池１００が放電する電力を所定の値だけ上昇させる、若しくは、蓄電池１００が蓄電する電力を所定の値だけ減少させる。そして、制御システム２は、後続する問合せ時においても提供要求を取得した場合には、蓄電池１００が放電する電力を指数関数的に上昇させる、若しくは、蓄電池１００が蓄電する電力を指数関数的に減少させる。
【００５７】
例えば、制御システム２は、蓄電池１００が１００Ｗの電力量を蓄電している際に、提供要求を取得した場合には、蓄電池１００が蓄電する電力量を８０Ｗまで減少させる。続いて、制御システム２は、続く問合せ時に提供要求を取得した場合には、蓄電池１００が蓄電する電力量を５５Ｗまで減少させる。また、制御システム２は、その後も継続して提供要求を取得した場合は、蓄電池１００が蓄電する電力量を１０Ｗまで減少させ、その後、蓄電池１００を６０Ｗで放電させ、さらにその後は、蓄電池１００を２２０Ｗで放電させる。
【００５８】
ここで、蓄電池１００を２２０Ｗで放電させた際に、余剰電力量が需要電力量を超えたものとする。このように、充放電量を指数関数的に変化させた際に、不要通知を受付けた場合は、制御システム２は、充放電量を所定の値に変更する。例えば、制御システム２は、充放電量を０Ｗとする。なお、制御システム２は、充放電量を、例えば、提供要求を取得する前において蓄電池１００が蓄電又は放電していた電力量と、不要通知を取得した際に蓄電池１００が蓄電又は放電していた電力量との中央値に設定してもよい。
【００５９】
ここで、充放電量を所定の値まで変化させた場合、余剰電力量が需要電力量を下回る恐れがある。このような場合には、制御システム２の問合せに対し、再度、提供要求が取得されることとなる。そこで、制御システム２は、蓄電池１００が蓄電または給電する電力を所定の値まで減少させた後で、提供要求が再度取得された場合は、蓄電池１００が蓄電または給電する電力を所定の値だけ変化させる。
【００６０】
例えば、制御システム２は、充放電量を指数関数的に変化させた際に、不要通知を取得した場合は、充放電量を所定の値まで減少させる。このような際に、制御システム２は、不要通知を取得した次の問合せにおいて、再度提供要求を取得した場合には、充放電量を指数関数的に変化させるのではなく、所定の値だけ変化させる。例えば、制御システム２は、充放電量を０Ｗとした後で、再度取得要求を受付けた場合には、充放電量を４０Ｗとし、さらに取得要求を継続して受付けた場合には、充放電量を８０Ｗ、１２０Ｗというように、充放電量を４０Ｗずつ変化させる。
【００６１】
また、制御システム２は、充放電量を所定の値だけ変化させた際に、不要通知を取得した場合は、充放電量を所定の値まで減少させる。例えば、制御システム２は、充放電量を指数関数的に変化させた際に、不要通知を取得した場合と同じ値まで減少させる。そして、制御システム２は、再度提供要求を取得した場合には、充放電量を再度所定の値だけ変化させる。
【００６２】
このように、制御システム２は、各種ネットワークにおける輻輳制御において、通信量を制御する手法と同様の手法により、各住宅ＨＭが買電または売電する電力量を自律的に変更するので、管理サーバＣＳにおける制御コストを増大させることなく、比較的速やかに需要電力量と同程度の余剰電力量を準備することができる。
【００６３】
（制御システム２の機能構成について）
以下、図３を用いて、上述した機能を発揮する管理システム１が有する機能構成の一例について説明する。図３は、実施形態に係る管理システムが有する機能構成の一例について説明する図である。図３に示すように、管理システム１は、管理サーバＣＳおよび制御システム２を有する。
【００６４】
まず、管理サーバＣＳが有する機能構成について説明する。管理サーバＣＳは、制御部ＣＳＣ、および通信部ＣＳＴを有する。通信部ＣＳＴは、ＨＧＷ１０やアグリゲータサーバＡＧＳとの間で双方向通信を行う通信部であり、例えば、ＮＩＣ（Network  Interface  Card）等により実現される。
【００６５】
制御部ＣＳＣは、各住宅ＨＭのうち、所定の地域に所在する住宅ＨＭに供給する電力が不足すると推定される場合は、所定の地域とは異なる地域に所在する住宅ＨＭの制御装置からの問い合わせに対し、電力の提供要求を出力する。例えば、制御部ＣＳＣは、アグリゲータサーバＡＧＳから地域Ｂの電力が不足する旨の通知を受けた場合は、任意のルールに従って、地域Ｂ以外の地域かから仮想発電所とみなす地域を選択する。例えば、制御部ＣＳＣは、仮想発電所とみなす地域として地域Ａを選択する。そして、制御部ＣＳＣは、選択した地域Ａを記憶する。なお、制御部ＣＳＣは、複数の地域を仮想発電所とみなす地域として選択してもよい。
【００６６】
また、制御部ＣＳＣは、各住宅ＨＭに設置された蓄電池１００から提供要否の問い合わせを受け付けた場合は、問合せ元となる蓄電池１００が所在する地域を特定する。例えば、制御部ＣＳＣは、各蓄電池を識別する蓄電池ＩＤ（Identifier）と、蓄電池ＩＤが示す蓄電池１００が設置された住宅ＨＭが所在する地域とを対応付けて保持し、問合せ元の蓄電池１００の蓄電池ＩＤと対応付けられた地域を特定する。そして、制御部ＣＳＣは、特定した地域が仮想発電所とみなす地域である場合には、提供要求を返信し、それ以外の地域である場合には、不要通知を返信する。
【００６７】
続いて、制御システム２が有する機能構成について説明する。制御システム２は、ＨＧＷ１０、および蓄電池１００を有するシステムであり、各住宅ＨＭに設置される。図３に示すＨＧＷ１０は、ネットワークと住宅ＨＭ内のネットワークとの間の情報の送受信を可能にするネットワーク機器であり、いわゆるゲートウェイ装置である。なお、ＨＧＷ１０とネットワークとの間に、所定の中継機器（例えばブロードバンドルータ）等が設けられる場合があるが、図３においては説明を省略する。
【００６８】
蓄電池１００は、各住宅ＨＭに設置された蓄電池１００であり、蓄電または給電が可能な分散電源である。具体的には、蓄電池１００は、通信部２０、制御部ＳＢＣ、および蓄電部Ｂを有する。通信部２０は、ＨＧＷ１０を介して管理サーバＣＳとの間で双方向通信を行う通信部であり、例えば、ＮＩＣ等により実現される。蓄電部Ｂは、分電盤ＨＤを介して電力の蓄電または給電を行うことができる二次電池である。
【００６９】
制御部ＳＢＣは、所定の管理装置から取得する電力の提供要否と、蓄電池１００の蓄電状況とに応じて、蓄電池１００の蓄電または給電を制御する。より具体的には、制御部ＳＢＣは、各種の情報処理を実行する演算装置であり、例えば、ＣＰＵ（Central  Processing  Unit）、ＭＰＵ（Micro  Processing  Unit）等の電子回路や、ＡＳＩＣ（Application  Specific  Integrated  Circuit）、ＦＰＧＡ（Field  Programmable  Gate  Array）等の集積回路を採用できる。制御部ＳＢＣは、各種の処理手順を規定したプログラムや制御データを格納するための内部メモリを有し、これらによって種々の処理を実行する。制御部ＳＢＣは、各種のプログラムが動作することにより各種の処理部として機能する。
【００７０】
例えば、制御部ＳＢＣは、取得部４１、確認部４２、判定部４３、および蓄電制御部４４を有する。取得部４１は、提供要否を取得する。例えば、取得部４１は、所定の時間間隔で、提供要否を管理サーバＣＳに問い合わせる。
【００７１】
確認部４２は、蓄電部Ｂが蓄電する電力量を確認する。例えば、確認部４２は、取得部４１によって提供要求が取得された場合には、蓄電部Ｂが蓄電する電力量を特定する。そして、確認部４２は、特定結果を判定部４３に出力する。
【００７２】
判定部４３は、蓄電部Ｂが蓄電する電力量が所定の条件を満たすか否かを判定する。例えば、判定部４３は、蓄電部Ｂが蓄電する電力量が３０パーセント以上であるか否かを判定する。そして、判定部４３は、判定結果を蓄電制御部４４に出力する。
【００７３】
蓄電制御部４４は、分散電源の蓄電または給電を制御する。具体的には、蓄電制御部４４は、蓄電部Ｂが蓄電する電力量が所定の条件を満たす場合は、蓄電部Ｂが給電する電力を所定の値まで上昇させる。例えば、蓄電制御部４４は、住宅ＨＭにおける買電量が少なくなるように、若しくは、住宅ＨＭにおける売電量が多くなるように、蓄電部Ｂの蓄電または給電を制御する。
【００７４】
ここで、蓄電制御部４４は、提供要求が継続的に取得される場合には、充放電量を指数関数的に変化させ、充放電量を指数関数的に変化させた際に提供要求が取得されなくなった場合は、充放電量を所定の値に設定する。その後、蓄電制御部４４は、充放電量を所定の値に設定した結果、提供要求が取得された場合は、充放電量を所定の値だけ変化させる。
【００７５】
例えば、図４は、実施形態に係る制御システムが実行する制御の一例を示す図である。なお、図４に示す例では、蓄電部Ｂの充放電量の時間推移の一例を示すグラフを記載した。なお、取得部４１は、図４の横軸に示す各タイミングにおいて、提供要否の問合せを行うものとする。なお、図４に示す例では、蓄電部Ｂが蓄電する電力量を負の充放電量で示し、蓄電部Ｂが供給する電力量を正の充放電量で示した。
【００７６】
例えば、蓄電制御部４４は、不要通知を受付けている間は、１００Ｗの電力量を蓄電部Ｂに蓄電させる。そして、蓄電制御部４４は、例えば、図４中（Ａ）に示すタイミングで、提供要求を受付けた場合は、蓄電部Ｂに蓄電させる電力量を８０Ｗまで減少させる。続いて、蓄電制御部４４は、続く問合せ時に提供要求が継続して取得された場合は、図４中（Ｂ）に示すように、提供要求が継続して取得される間、蓄電部Ｂに蓄電させる電力量を指数関数的に変更する。例えば、蓄電制御部４４は、充放電量を−８０Ｗから−５５Ｗ、−１０Ｗ、６０Ｗ、２２０Ｗというように、指数関数的に変化させる。
【００７７】
ここで、蓄電制御部４４は、図４中（Ｃ）に示すタイミングで、不要通知が取得された場合には、図４中（Ｄ）に示すように、充放電量を０Ｗまで低下させる。そして、蓄電制御部４４は、図４中（Ｄ）に示すタイミングで、再度提供要求を受付けた場合には、図４中（Ｅ）に示すように、提供要求を受付ける間、充放電量を所定の値ずつ変化させる。例えば、蓄電制御部４４は、充放電量４０Ｗ、８０Ｗ、１２０Ｗというように、線形的に変化させる。そして、蓄電制御部４４は、図４中（Ｆ）に示すタイミングで、不要通知が取得された場合は、再度充放電量を０Ｗまで低下させるとともに、その後、再度提供要求を受付けた場合は、図４中（Ｅ）に示す場合と同様に、充放電量を所定の値ずつ変化させる。
【００７８】
なお、蓄電制御部４４は、蓄電部Ｂに蓄電された電力量が所定の条件を満たす場合にのみ、上述した処理を実行し、蓄電部Ｂに蓄電された電力量が所定の条件を満たさない場合は、蓄電部Ｂを所定の値（例えば、１００Ｗ）で蓄電させてもよい。また、蓄電制御部４４は、住宅ＨＭに設置された太陽光パネルＰＶにより発電が行われている場合は、蓄電部Ｂが蓄電する電力を所定の値まで減少させてもよい。すなわち、蓄電制御部４４は、住宅ＨＭに設置された太陽光パネルＰＶにより発電が行われている場合は、蓄電部Ｂに放電を行わさせず、少なくとも、所定の最小値（例えば、１０Ｗ）の電力を蓄電させ続けてもよい。
【００７９】
（処理の流れの一例について）
次に、図５を用いて、実施形態に係る制御システム２が実行する処理の流れの一例について説明する。図５は、実施形態に係る制御システムが実行する処理の流れの一例を示すフローチャートである。
【００８０】
例えば、制御システム２は、管理サーバＣＳに問い合わせを行うことで、提供要否を確認する（ステップＳ１０１）。そして、制御システム２は、提供要求を取得したか否かを判定し（ステップＳ１０２）、不要通知を取得した場合は（ステップＳ１０２：Ｎｏ）、ステップＳ１０１を実行する。一方、制御システム２は、提供要求を取得した場合は（ステップＳ１０２：Ｙｅｓ）、太陽光パネルが発電中であるか否かを判定する（ステップＳ１０３）。
【００８１】
また、制御システム２は、太陽光パネルが発電中である場合は（ステップＳ１０３：Ｙｅｓ）、蓄電池１００に充電させる電力、すなわち充電電力を指数関数的に減少させる（ステップＳ１０４）。一方、制御システム２は、太陽光パネルが発電していない場合は（ステップＳ１０３：Ｎｏ）、放電電力を指数関数的に増加させる（ステップＳ１０５）。続いて、制御システム２は、提供要否を確認し（ステップＳ１０６）、提供要求を受付けたか否かを判定する（ステップＳ１０７）。そして、制御システム２は、提供要求を取得した場合は（ステップＳ１０７：Ｙｅｓ）、ステップＳ１０３を実行する。
【００８２】
一方、制御システム２は、不要通知を取得した場合は（ステップＳ１０７：Ｎｏ）、蓄電池１００の放電電力を所定の値まで下げるもしくは充電電力を所定の値まで上げる（ステップＳ１０８）。続いて、制御システム２は、提供要否を確認し（ステップＳ１０９）、提供要求を受付けたか否かを判定する（ステップＳ１１０）。そして、制御システム２は、提供要求を取得した場合は（ステップＳ１１０：Ｙｅｓ）、蓄電池１００の放電電力を所定の値だけ上げるもしくは充電電力を所定の値だけ下げ（ステップＳ１１１）、ステップＳ１０９を実行する。一方、制御システム２は、不要通知を取得した場合は（ステップＳ１１０：Ｎｏ）、ステップＳ１０８を実行する。なお、制御システム２は、不要通知を所定の回数だけ連続して受信した際に、図５に示す処理をステップＳ１０１から実行し直してもよい。
【００８３】
（各住宅における供給電力量について）
次に、図６〜図８を用いて、上述した制御を実行した場合の各住宅ＨＭａ〜ＨＭｃにおいて買電若しくは売電される供給電力量の一例について説明する。図６は、第１の住宅における供給電力量の一例を示す図である。図７は、第２の住宅における供給電力量の一例を示す図である。図８は、第３の住宅における供給電力量の一例を示す図である。なお、図６〜図８に示す例では、図２に示す処理を制御システム２ａ〜２ｃが実行した場合に、各住宅ＨＭａ〜ＨＭｃが買電又は売電する供給電力量の変遷の一例について記載した。なお、図６〜図８に示す例では、供給電力量が負の値となる場合には、買電を行っている旨を示し、供給電力量が正の値となる場合には、売電を行っているものとする。
【００８４】
例えば、図６には、第１の住宅として、住宅ＨＭａの供給電力量が記載されている。より具体的には、図２に示す例では、住宅ＨＭａに設置された制御システム２ａは、蓄電池１００ａに対して１００Ｗの電力を蓄電させる。このため、図６に示すように、住宅ＨＭａ全体での供給電力量は、「−１００Ｗ」（すなわち、１００Ｗの買電）を維持し続けることとなる。
【００８５】
また、図７には、第２の住宅として、住宅ＨＭｂに設置された蓄電池１００ｂの出力電力量を菱形印でプロットし、住宅ＨＭｂに設置された家電装置Ｌの消費電力量を四角印でプロットし、住宅ＨＭｂ全体の供給電力量を三角印でプロットした。例えば、図７に示す例では、家電装置Ｌが各タイミングにおいて４００Ｗの電力を消費している。これに対し、蓄電池１００ｂは、提供要求を受信する間、（例えば、タイミング「３」から「８」までの間）、宅内に供給する電力を指数関数的に徐々に増大させ、不要通知を受付けた場合は、宅内に供給する電力を所定の値（例えば、２５０Ｗ前後）まで低下させる。その後、蓄電池１００ｂは、提供要求を受信する間、宅内に供給する電力を線形的に徐々に増大させ、不要通知を受付けた場合は、宅内に供給する電力を所定の値まで低下させる処理を繰り返し実行する。このため、住宅ＨＭｂにおける供給電力量は、「−２００Ｗ」（すなわち、２００Ｗの買電）から指数関数的に上昇し、不要通知を受付けた後は、所定の値（たとえば、−１５０Ｗ前後）まで低下した後に、提供要求を受信する間、宅内に供給する電力を線形的に徐々に増大させるといった処理を繰り返し実行する。
【００８６】
また、図８には、第３の住宅として、住宅ＨＭｃに設置された蓄電池１００ｃの出力電力量を菱形印でプロットし、住宅ＨＭｃに設置された太陽光パネルＰＶの発電量を四角印でプロットし、住宅ＨＭｃ全体の供給電力量を三角印でプロットした。例えば、図８に示す例では、太陽光パネルＰＶが各タイミングにおいて４００Ｗの電力を発電している。これに対し、蓄電池１００ｃは、提供要求を受信する間、太陽光パネルＰＶが発電した電力のうち蓄電する電力を指数関数的に徐々に減少させ、不要通知を受付けた場合は、蓄電する電力を所定の値（例えば、１５０Ｗ前後）まで増大させる。その後、蓄電池１００ｃは、提供要求を受信する間、蓄電する電力を線形的に徐々に減少させ、不要通知を受付けた場合は、蓄電する電力を所定の値まで増加させる処理を繰り返し実行する。このため、住宅ＨＭｃの供給電力量は、「２００Ｗ」（すなわち、２００Ｗの売電）から指数関数的に上昇し、不要通知を受付けた後は、所定の値（たとえば、２５０Ｗ前後）まで低下した後に、提供要求を受信する間、宅内に供給する電力を線形的に徐々に増大させるといった処理を繰り返し実行する。
【００８７】
このような住宅ＨＭａ〜ＨＭｃが存在する場合、各住宅ＨＭａ〜ＨＭｃの供給電力量の総計である総計電力量は、図９に示すように変遷する。図９は、第１の住宅から第３の住宅における供給電力量の合計の一例を示す図である。なお、図９では、図６〜図８に示した各住宅ＨＭａ〜ＨＭｃの供給電力量の合計値をプロットした。図９に示すように、各住宅の総計電力量は、−１００Ｗから２５０Ｗ程度まで指数関数的に上昇し、不要通知を受付けた後は、所定の値（たとえば、０Ｗ前後）まで低下した後に、提供要求を受信する間、線形的に徐々に増大するというように変化する。この結果、制御システム２は、複雑な処理を実行せずとも、他の地域で電力不足が生じた場合に、総計電力量（すなわち、余剰電力量）を不測する電力量まで迅速に上昇させることができる。
【００８８】
［各実施形態の変形例］
（施設について）
上述した実施形態では、制御システム２は、施設として住宅ＨＭにおける蓄電池１００の充放電量をそれぞれ個別に制御した。しかしながら、実施形態は、これに限定されるものではない。例えば、制御システム２は、住宅ＨＭ以外にも、工場、オフィス、商店、イベント会場等といった常設または仮設を問わない任意の施設における蓄電池１００の充放電量をそれぞれ個別に制御してもよい。
【００８９】
また、制御システム２は、蓄電池１００以外にも、充電あるいは給電を制御可能な任意の分散電源について、充放電量を制御してもよい。例えば、制御システム２は、提供要求を取得した場合は、燃料電池が発電する電力量を上昇させてもよい。
【００９０】
（実行主体について）
上述した実施形態では、各住宅ＨＭに設置された制御システム２のうち、蓄電池１００が有する制御部ＳＢＣが充放電量の制御を行った。しかしながら、実施形態は、これに限定されるものではない。すなわち、上述した処理は、各施設に設置された制御システム２によって自立分散的に実行させるのであれば、任意の装置が実行して良い。例えば、制御システム２が有するＨＧＷ１０が、蓄電池１００の充放電量を制御してもよい。
【００９１】
また、提供要求または不要通知は、アグリゲータサーバＡＧＳによって提供されてもよい。例えば、制御システム２は、アグリゲータサーバＡＧＳに対して提供要否の問い合わせを行ってもよい。また、管理サーバＣＳやアグリゲータサーバＡＧＳの処理コストをさらに削減するため、ある地域に所在する制御システム２のうち所定の制御システムのみが、提供可否の問い合わせを行ってもよい。例えば、地域Ａに所在する制御システム２ａ〜２ｃのうち、制御システム２ａのみが管理サーバＣＳに提供要否の問い合わせを行い、制御システム２ｂおよび制御システム２ｃは、制御システム２ａに対して提供要否の問い合わせを行ってもよい。
【００９２】
すなわち、上述した処理は、蓄電または給電が可能な分散電源を有し、分散電源が蓄電また給電する電力量を個別分散的に制御することができる複数の制御システムにより実現されるのであれば、任意の装置構成により実現されてよい。
【００９３】
（制御について）
上述した実施形態では、制御システム２は、提供要求を受付ける間、充放電量を徐々い変化させ、不要通知を受付けた場合は、充放電量を所定の値まで変化させた。しかしながら、実施形態は、これに限定されるものではない。例えば、アグリゲータサーバＡＧＳおよび管理サーバＣＳは、余剰電力量と需要電力量との差が所定の閾値に収まる場合には、各制御システム２に対して、蓄電池１００の充放電量を維持させるための維持通知を送信してもよい。また、各制御システム２は、問合せに対して維持通知を受付けた場合は、前回設定した充放電量を維持してもよい。
【００９４】
また、管理システム１や制御システム２は、充放電量を制御したことに対する任意のインセンティブを設定してもよい。また、上述した実施形態では、充放電量の制御の一例として、電力量の瞬時値（ワット）を用いて説明を行ったが、制御システム２は、充放電量を積算電力量（例えば、Ｗｈ（ワット時））を用いて制御してもよい。
【００９５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９６】
１  管理システム
２、２ａ〜２ｃ  制御システム
１０  ＨＧＷ
２０  通信部
４１  取得部
４２  確認部
４３  判定部
４４  蓄電制御部
１００、１００ａ〜１００ｃ  蓄電池
ＳＢＣ  制御部
Ｂ  蓄電部
ＣＳ  管理サーバ
ＣＳＣ  制御部
ＣＳＴ  通信部
ＡＧＳ  アグリゲータサーバ
ＥＣＳ  電力事業者サーバ
ＨＭ、ＨＭａ〜ＨＭｃ  住宅
ＰＶ  太陽光パネル
Ｌ  家電装置
ＭＴ  スマートメータ
ＣＰ  系統電源
【図１】
2018166355.tif 000003
【図２】
2018166355.tif 000004
【図３】
2018166355.tif 000005
【図４】
2018166355.tif 000006
【図５】
2018166355.tif 000007
【図６】
2018166355.tif 000008
【図７】
2018166355.tif 000009
【図８】
2018166355.tif 000010
【図９】
2018166355.tif 000011